(57)【特許請求の範囲】
【請求項１】
一端が突出した状態でファイバホルダ（２）に固定された光ファイバ（１）の被覆材（１ｂ）を除去する光ファイバの被覆除去装置（９）であって、
前記ファイバホルダから突出された光ファイバが挿入可能に構成され、挿入された前記光ファイバの被覆材を除去する被覆除去手段（２２，３１）を具備してなる被覆除去体（１３）と、着脱自在に装着された前記ファイバホルダを前記被覆除去体に対して進退自在に保持するホルダ保持体（１４）とを備え、
前記被覆除去体または前記ホルダ保持体の一方または両方には、対向する相手側に向けて出没可能な位置決め部材（４７ａ、４７ｂ）が取り付けられ、突出状態の該位置決め部材に前記被覆除去体またはホルダ保持体が突き当てられることにより、被覆除去体とホルダ保持体との間の最小離間距離が設定されるようになっており、
前記位置決め部材は、棒状であり、前記ファイバホルダの進退方向と略直交する方向に位置する軸線周りに回転自在に軸支されていることを特徴とする光ファイバの被覆除去装置。
【請求項２】
請求項１記載の光ファイバの被覆除去装置において、前記位置決め部材は、互いに長さの異なるものが複数本設けられていることを特徴とする光ファイバの被覆除去装置。
【請求項３】
前記位置決め部材は前記ホルダ保持体に設けられ、前記ホルダ保持体に、前記位置決め部材（４７ａ，４７ｂ）が離脱可能に嵌合される嵌合溝（４８，４８）が形成されていることを特徴とする請求項１又は２記載の光ファイバの被覆除去装置。
【発明の詳細な説明】
【０００１】
【発明の属する技術分野】
本発明は、光ファイバの被覆材を除去する被覆除去装置に関するものである。
【０００２】
【従来の技術】
一般に、光ファイバを取り扱い易くするために、一次被覆層が被覆された複数本の光ファイバ素線を平行、且つ一列に並べて一括的に二次被覆層で被覆を施し、テープ状に一体化した、いわゆる光ファイバテープ心線が広く使用されている。
この光ファイバテープ心線としては、光ファイバの高密度化を図るために、二次被覆層がより薄く形成された薄型のものが製造され、使用されるようになっている。
【０００３】
従来、この種の光ファイバテープ心線は、他の光ファイバやデバイスと接続させるために所定の部位で切断して用いられるが、この光ファイバテープ心線を切断する場合には、被覆層を除去して裸ファイバを剥き出しにする必要がある。この被覆除去には、光ファイバテープ心線の被覆材を一括的に除去する被覆除去装置が多く用いられている。
【０００４】
そして、この種の被覆除去装置としては、例えば、図７に示すように、光ファイバ（光ファイバテープ心線）１が固定されたファイバホルダ２をホルダ保持体３に保持させ、この光ファイバ１の先端側を上下一対の切断刃を有するカッタホルダ４の間に挟み込み、光ファイバ１の被覆材に切り込みを入れるとともに、光ファイバ１の切断刃から先端側を予めヒータ等により酸化しない温度に加熱されたホットプレート上に挟持状態で載置するものが知られている。
【０００５】
この装置では、ホットプレート上の被覆材を熱で溶かした後に、ホルダ保持体３をガイド棒５を案内にして、先端側と反対の方向に移動させることで、切断位置より先端側の被覆材が切断刃で移動を規制されることによって裸ファイバが引き抜かれ、被覆材が除去される。
【０００６】
ところで、上記被覆が除去された裸ファイバは、フェルール等に挿入されて成端されるが、このフェルールには複数の種類があり、それぞれ挿入される裸ファイバの長さが異なる。そのため、上記の被覆除去装置を用いて光ファイバ１の被覆を除去する際にも、フェルールに合わせて除去長を変える必要がある。
【０００７】
従来、上記の被覆除去装置で除去長を変えるときには、図７に示すように、所定の幅を有するスペーサ６を用意し、その軸部７をホルダ保持体３の嵌合孔８に嵌合させることにより、カッタホルダ４とホルダ保持体３との間の最小離間距離を調節していた。これにより、切断位置より先端側の被覆材の長さが調整されていた。
【０００８】
【発明が解決しようとする課題】
しかしながら、上述したような従来の光ファイバの被覆除去装置には、以下のような問題が存在する。
スペーサ６は、被覆材の除去長に合わせて数種類用意する必要があるが、スペーサ６の大きさによっては、一つの嵌合孔８では対応できず、内径の異なる複数の嵌合孔を設ける等の工夫が必要になり、コスト増の原因になってしまう。
【０００９】
また、複数のスペーサ６を、被覆除去装置とは別個に携帯しなければならず、持ち運びが不便であり、スペーサ６を紛失してしまう危険性もあった。さらに、スペーサ６を取り替える際にも、その都度、軸部７を嵌合孔８に嵌合させなければならず作業性が悪かった。
【００１０】
本発明は、以上のような点を考慮してなされたもので、被覆材を除去する際にも、作業性がよく、容易に所望の除去長が得られるとともに、携帯性に優れた光ファイバの被覆除去装置を提供することを目的とする。
【００１１】
【課題を解決するための手段】
上記の目的を達成するために本発明は、以下の構成を採用している。
請求項１記載の光ファイバの被覆除去装置は、一端が突出した状態でファイバホルダに固定された光ファイバの被覆材を除去する光ファイバの被覆除去装置であって、前記ファイバホルダから突出された光ファイバが挿入可能に構成され、挿入された前記光ファイバの被覆材を除去する被覆除去手段を具備してなる被覆除去体と、着脱自在に装着された前記ファイバホルダを前記被覆除去体に対して進退自在に保持するホルダ保持体とを備え、前記被覆除去体または前記ホルダ保持体の一方または両方には、対向する相手側に向けて出没可能な位置決め部材が取り付けられ、突出状態の該位置決め部材に前記被覆除去体またはホルダ保持体が突き当てられることにより、被覆除去体とホルダ保持体との間の最小離間距離が設定されるようになっており、前記位置決め部材は、棒状であり、前記ファイバホルダの進退方向と略直交する方向に位置する軸線周りに回転自在に軸支されていることを特徴とするものである。
請求項２記載の光ファイバの被覆除去装置は、請求項１記載の光ファイバの被覆除去装置において、前記位置決め部材は、互いに長さの異なるものが複数本設けられていることを特徴とするものである。
請求項３記載の光ファイバの被覆除去装置は、請求項１又は２記載の光ファイバの被覆除去装置において、前記位置決め部材は前記ホルダ保持体に設けられ、前記ホルダ保持体に、前記位置決め部材が離脱可能に嵌合される嵌合溝が形成されていることを特徴とするものである。
【００１２】
従って、本発明の光ファイバの被覆除去装置では、位置決め部材を対向する相手側に向けて突出させた状態で、ホルダ保持体を被覆除去体に対して進出させて、位置決め部材が相手側に当接すると、ホルダ保持体の進出が停止し、位置決め部材の突出量に対応して被覆除去体とホルダ保持体との間の最小離間距離が設定される。これにより、ファイバホルダから突出された光ファイバの被覆除去体に対する挿入量が調整される。
【００１４】
また、本発明の光ファイバの被覆除去装置では、位置決め部材を軸線周りに回転させて、それぞれ対向する相手側に突出させたときに、位置決め部材の突出量に対応して、被覆除去体とホルダ保持体との間の離間距離が設定されることにより、ファイバホルダから突出された光ファイバの被覆除去体に対する挿入量が調整される。
【００１５】
【発明の実施の形態】
以下、本発明の光ファイバの被覆除去装置の実施の形態を、図１ないし図６を参照して説明する。
ここでは、位置決め部材をホルダ保持体に設ける場合の例を用いて説明する。
図１において、符号９は光ファイバの被覆除去装置を、符号２はファイバホルダをそれぞれ示している。
【００１６】
ファイバホルダ２は、略直方体形状の基台１０と、該基台１０の上面１０ａに対し開閉自在となるようヒンジ結合された二つの板状の開閉部材１１，１１とを有するものである。基台１０の上面１０ａの幅方向における中央には、全長さ方向に延在して溝（図示せず）が形成されている。このファイバホルダ２は、両開閉部材１１，１１を上面１０ａに対し開かせた状態で溝に光ファイバ１を直線状に嵌合させ、その後、両開閉部材１１，１１を閉じることで光ファイバ１を、一端が突出した状態で固定するものである。また、ファイバホルダ２の長さ方向における両端の幅方向における中央には、それぞれ直方体形状の突起１２，１２が形成されている。
【００１７】
被覆除去装置９は、被覆除去体（カッタヘッド）１３と、該被覆除去体１３のファイバホルダ２側に設けられ、該ファイバホルダ２を被覆除去体１３に対して進退自在とするホルダ保持体１４と、該ホルダ１４に取り付けられた軸体４６および棒状の位置決め部材４７ａ、４７ｂとから概略構成されている。
被覆除去体１３は、いずれも略直方体形状のカッタホルダ１５，１６を有しており、これらカッタホルダ１５，１６はそれぞれ対向する対向面１５ａ、１６ａが接合するように、且つ互いに開閉自在となるよう一側縁１７でヒンジ結合されている。
【００１８】
カッタホルダ１５の対向面１５ａの側縁１７と反対側には、ガイド孔１８，１８が側縁１７に沿う方向に二箇所形成されている。対向面１５ａの幅方向の中央には、上記進退方向である光ファイバの長さ方向に延在して、該光ファイバ１を幅方向に位置決めするガイド溝１９が形成されており、ガイド溝１９の深さは光ファイバ１の厚さの約１／２に設定されている。ガイド溝１９のファイバホルダ２と反対側の端部には、凹部２０が形成されている。また、ガイド溝１９の長さ方向中間には、平面視矩形の矩形孔２１がガイド溝１９に直交するように設けられており、矩形孔２１には、該矩形孔２１の長さ方向に延在させて被覆除去手段である切刃２２が配設されている。
【００１９】
図２に示すように、カッタホルダ１５には、断面視コ字状の孔部２３が形成されており、孔部２３の底部２４は、一端側Ｓが対向面１５ａに接近するように、該対向面１５ａに対して３０°傾斜している。また、孔部２３は、底部２４において対向面１５ａに開口しており、この開口部が矩形孔２１になっている。底部２４には、薄板状で弾力性を有する、例えばバネ鋼で形成された上記被覆除去手段２２が、刃先を一端側Ｓへ向け、且つ矩形孔２１に臨ませて、押さえ板２５を介して取付ネジ２６で固定されている。
【００２０】
一方、図１に示すように、カッタホルダ１６の対向面１６ａの側縁１７と反対側には、ガイド孔１８，１８に嵌合してカッタホルダ１５，１６を位置決めするガイドピン２７，２７が側縁１７に沿う方向に二箇所設けられている。対向面１６ａの幅方向の中央には、光ファイバ１の長さ方向に延在して、該光ファイバ１を幅方向に位置決めするガイド溝２８が、カッタホルダ１５，１６を閉じたときにガイド溝１９と対向するように形成されており、ガイド溝２８の深さは光ファイバ１の厚さの約１／２に設定されている。そして、これらガイド溝１９，２８には、ファイバホルダ２から突出された光ファイバ１が挿入可能になっている。
【００２１】
ガイド溝２８のファイバホルダ２と反対側の端部近傍には、対向面１６ａから突出するガイドピン２９，２９がガイド溝２８の幅と同寸法離間して設けられている。また、ガイド溝２８の長さ方向中間には、平面視矩形の矩形孔３０がガイド溝２８に直交するように設けられており、矩形孔３０には、該矩形孔３０の長さ方向に延在させて被覆除去手段である切刃３１が配設されている。
【００２２】
図２に示すように、カッタホルダ１６には、断面視コ字状の孔部３２が形成されており、孔部３２の底部３３は、一端側Ｓが対向面１６ａに接近するように、該対向面１６ａに対して３０°傾斜している。また、孔部３２は、底部３３において対向面１６ａに開口しており、この開口部が矩形孔３０になっている。底部３３には、薄板状で弾力性を有する上記被覆除去手段３１が、刃先を光ファイバ１の一端側Ｓへ向け、且つ矩形孔３０に臨ませて、押さえ板３４を介して取付ネジ３５で固定されている。
これら被覆除去手段２２，３１は、ガイド溝１９，２８で位置決めされる光ファイバ１の厚さ方向の中心からそれぞれ等距離に、且つ光ファイバ１の厚さより若干大きな間隔をあけるように配設されている。
【００２３】
また、カッタホルダ１６には、幅方向の両側位置に、光ファイバ１の長さ方向に沿って複数（二箇所）の嵌合穴３６，３６がそれぞれ穿設されており、これら嵌合穴３６，３６にはそれぞれガイド棒３７，３７がカッタホルダ１６の一端側Ｓにおいて固定されている。図３に示すように、ガイド棒３７，３７の他端側Ｔの先端には、大径の係止部３８が設けられており、また、係止部３８より一端側Ｓの外周面には断面視Ｖ字状のＶ溝５０，５１が、互いに間隔をあけて軸線回りに形成されている。
【００２４】
図４（ｄ）に示すように、ホルダ保持体１４は、正面視略長方形状をなす基板部３９と、該基板部３９の上記長さ方向における両端部に、基板部３９に対して垂直をなして上方へ突出するように形成された係止部４０，４０とを有しており、両係止部４０，４０には基板部３９に対し反対側（図４（ｄ）における上側）に凹部４１，４１がそれぞれ形成されている。
【００２５】
このホルダ保持体１４には、光ファイバ１に固定状態とされたファイバホルダ２が、両係止部４０，４０の間に下面１０ｂを基板部３９に当接するまで嵌合される。このとき、係止部４０，４０の凹部４１，４１にファイバホルダ２の突起１２，１２がそれぞれ嵌合する。
【００２６】
ここで、ファイバホルダ２は、ホルダ保持体１４に対するファイバホルダ２の嵌合および嵌合解除を作業者の手による程度の外力付与で行え、該外力付与の解除で嵌合状態が維持されるように嵌合力が設定されている。
【００２７】
基板部３９の幅方向両側には、長さ方向に沿って嵌合穴４２，４２が形成されている。嵌合穴４２，４２は、カッタホルダ１６に形成された嵌合穴３６，３６とそれぞれ連通すると共に、ガイド棒３７，３７と上記長さ方向に移動自在に嵌合するものである。ここで、これらのガイド棒３７，３７および嵌合穴４２，４２は、ガイド棒３７，３７が嵌合穴４２，４２に対し、作業者の手による程度の外力付与で移動し、該外力付与の解除で嵌合穴４２，４２に対し位置が固定されるような嵌合力が設定されている。
【００２８】
また、図４（ｃ）に示すように、嵌合穴４２，４２間には、幅方向に間隔をあけて二つの嵌合溝４８，４８が上記長さ方向に延在するように形成されている。
この嵌合溝４８，４８は、位置決め部材４７ａ，４７ｂがそれぞれ嵌入、収納されるものであって、ホルダ保持体１４に対する位置決め部材４７ａ，４７ｂの嵌合および嵌合解除を作業者の手による程度の外力付与で行え、該外力付与の解除で嵌合状態が維持されるように嵌合力が設定されている。
【００２９】
また、図４（ａ）（ｂ）に示すように、基板部３９には、軸体４６が嵌着される嵌着孔４６が上記長さ方向と直交する方向に沿って、且つ嵌合溝４８，４８に開口するように形成されている。
図２に示すように、位置決め部材４７ａ、４７ｂは、一端側が軸体４６に、該軸体４６周りに回転自在に軸支されている。
【００３０】
また、図５に示すように、位置決め部材４７ａ、４７ｂは、回転先端部を被覆除去体１３に対向させた使用位置にあるときに、ホルダ保持体１４からの突出量が、位置決め部材４７ａは長さＬ１、位置決め部材は長さＬ２と、互いに異なるように、且つ回動先端部を使用位置から１８０°回転させた退避位置にあるときにホルダ保持体１４から突出しないようにその長さがそれぞれ設定されている。
【００３１】
一方、ホルダ保持体１４の一端側Ｓには、嵌合穴４２，４２に臨ませて雌ネジ４３，４３が、嵌合穴４２，４２の軸線と直交するように上方からそれぞれ形成されている。そして、図２に示すように、これら雌ネジ４３，４３には、ボールプランジャー４４，４４が螺着している。ボールプランジャー４４，４４の嵌合穴３７、３７側には、嵌合穴４２，４２に接近する方向に付勢されたボール４５が保持されている。
【００３２】
そして、ファイバホルダ２は、上記のようにホルダ保持体１４に嵌合保持された状態において、固定支持した光ファイバ１の突出部分の軸線をガイド棒３７，３７の軸線と平行させ、カッタホルダ１５，１６のガイド溝１９，２８に挿入されて幅方向に位置決めされた光ファイバ１の軸線と一致させるようになっている。
【００３３】
以上により、ホルダ保持体１４は、ファイバホルダ２を着脱自在に保持するとともに、装着状態において該ファイバホルダ２を被覆除去体１３に対して、固定された光ファイバ１の幅方向に位置決めし、且つ光ファイバ１の軸線方向、すなわち、長さ方向にのみ進退自在に移動する。
【００３４】
上記の構成の光ファイバの被覆除去装置９を用いた作業について以下に説明する。ここでは、まず図１に示すように、位置決め部材４７ａを使用位置に、位置決め部材４７ｂを退避位置に位置させた状態で光ファイバ１の被覆材を除去する手順について説明する。
まず、ファイバホルダ２の両開閉部材１１，１１を基台１０に対して開かせた状態で、光ファイバ１を基台１０にセットし、両開閉部材１１，１１を閉じて光ファイバ１をその一端がファイバホルダ２から突出した状態で固定する。
【００３５】
次に、被覆除去体１３のカッタホルダ１５が開いた状態にあるカッタホルダ１６に対して、突出した光ファイバ１の一端側を、カッタホルダ１６に設けられたガイドピン２９，２９を案内にしてガイド溝２８に挿入、載置させつつ、ファイバホルダ２をホルダ保持体１４の係止部４０，４０間に嵌合させる。
【００３６】
ここで、ホルダ保持体１４を被覆除去体１３へ進出させると、図２に示すように、位置決め部材４７ａがカッタホルダ１６に突き当てられて、被覆除去体１３とホルダ保持体１４とは、これらの間の最小離間距離が位置決め部材４７ａの突出量である長さＬ１に設定された状態で位置決めされる。
これにより、ファイバホルダ２から突出された光ファイバ１の被覆除去体１３に対する挿入量、すなわち被覆除去手段３１より先端側にある光ファイバ１の長さが調整される。
【００３７】
そして、カッタホルダ１６にヒンジ結合されたカッタホルダ１５を、その対向面１５ａがカッタホルダ１６の対向面１６ａに接合するように閉状態とする。
このとき、カッタホルダ１６のガイドピン２７，２７とカッタホルダ１５のガイド孔１８，１８とが嵌合して、これらカッタホルダ１５，１６が互いに位置決めされることにより、ガイド溝１９，２８および被覆除去手段２２，３１が正確に位置決めされる。これにより、光ファイバ１は、ガイド溝１９，２８で幅方向が位置決めされる。
なお、カッタホルダ１５が閉じたときに、ガイドピン２９，２９は、カッタホルダ１５の凹部２０に入り込むので、カッタホルダ１５，１６の開閉に支障を来すことはない。
【００３８】
一方、カッタホルダ１５がカッタホルダ１６に対して閉じると、図６に示すように、被覆除去手段２２，３１が裸ファイバ１ａに僅かな隙間を有する状態でそれぞれ被覆材１ｂに切り込まれる。
そして、図３に示すように、この状態でホルダ保持体１４をファイバホルダ２とともにカッタホルダ１６からガイド棒３３の案内で、上記光ファイバ１の長さ方向の他端側Ｔへ退避させると、光ファイバ１の被覆材１ｂの内、被覆除去手段２２，３１から一端側Ｓが、該被覆除去手段２２，３１によって削り取られて除去される。この削り取られた被覆材１ｂは、被覆除去手段２２，３１が配設される孔部２３，３２からそれぞれ排出される。
【００３９】
そして、ホルダ保持体１４は、ボールプランジャー４２のボール４５がガイド棒３３のＶ溝５１に係合すると共に、ガイド棒３３の係止部３８がホルダ保持体１４に係止することによりその移動が停止する。
かくして、除去長Ｌの長さを有する裸ファイバ１ａが、ファイバホルダ２に対して位置決めされた状態で得られる。
【００４０】
次に、このようにして被覆材１ｂが除去された状態の光ファイバ１を、ファイバホルダ２に固定状態のまま、被覆除去装置９から取り外し、そのままファイバホルダ２において不図示の接続器に装着して光接続を行う。
なお、位置決め部材４７ａ，４７ｂは、ホルダ保持体１４の嵌合溝４８，４８に嵌合状態が維持されてそれぞれ嵌入、収納されているので、上記除去作業時に、ホルダ保持体１４から外れて作業に支障を来すことはない。
【００４１】
続いて、位置決め部材４７ｂを用いて被覆材を除去する手順について説明する。  まず、突出される光ファイバの長さが、上記と同じ長さのファイバホルダ２をホルダ保持体１４に嵌合させるとともに、位置決め部材４７ａを退避位置に、位置決め部材４７ｂを使用位置に、それぞれ軸体４６周りに回転させて位置させる。
【００４２】
そして、上記と同様の手順で被覆除去作業を行うことにより、被覆除去体１３とホルダ保持体１４との間の最小離間距離が長さＬ２に設定され、除去長（Ｌ＋Ｌ１−Ｌ２）の長さを有する裸ファイバ１ａが、ファイバホルダ２に対して位置決めされた状態で得られる。
【００４３】
同様に、両位置決め部材４７ａ，４７ｂを退避位置に位置させて、ファイバホルダ２から突出する長さが上記と同じ光ファイバ１の被覆を除去すると、除去長（Ｌ＋Ｌ１）の長さを有する裸ファイバ１ａが、ファイバホルダ２に対して位置決めされた状態で得られる。
すなわち、位置決め部材４７ａ，４７ｂの被覆除去体１３に対する出没を調整することにより、Ｌ、（Ｌ＋Ｌ１−Ｌ２）、（Ｌ＋Ｌ１）の３種類の除去長を得ることができる。
【００４４】
本実施の形態の光ファイバの被覆除去装置では、光ファイバ１の被覆材の除去長を変える際にも、位置決め部材４７ａ、４７ｂを回転させて使用位置または退避位置に移動させるだけなので、作業性が大幅に向上する。
また、これら位置決め部材４７ａ、４７ｂがホルダ保持体１４に取り付けられているので、落下して紛失することがなく、携帯性も非常に優れている。
さらに、被覆材の除去長に対応させるには、位置決め部材４７ａ、４７ｂの長さを変えるだけで済むので、ホルダ保持体１４側に何らかの工夫を凝らす必要がなく、従ってコスト増になることもない。
しかも、両位置決め部材４７ａ、４７ｂは、使用位置、退避位置のどちらにあっても嵌合状態が維持された状態でホルダ保持体１４の嵌合溝４８，４８に嵌入、収納され、且つ退避位置であってもホルダ保持体１４から突出していないので、ホルダ保持体１４から外れてしまって被覆除去作業や携行に支障を来すこともない。
【００４５】
なお、上記実施の形態において、二本の位置決め部材をホルダ保持体のみに取り付ける構成としたが、これに限られることなく、三本以上の位置決め部材を取り付ける構成であってもよく、また被覆除去体のみに取り付ける構成や双方に取り付ける構成であってもよい。双方に取り付ける場合、取り付け可能な位置決め部材の本数が増加するため、より多くの除去長に対応することが可能になる。
【００４６】
また、被覆除去体とホルダ保持体との間に位置決め部材を出没させる手段として、位置決め部材を軸体周りに回転させる構成としたが、ホルダ保持体に、上記進退方向に延在する貫通孔を形成し、この貫通孔に一端がホルダ保持体から出没自在な位置決め部材を摺動自在、且つボールプランジャー等により所望の位置で係止自在に配置するような構成であってもよい。
【００４７】
そして、光ファイバの被覆を除去する手段として切刃により被覆材を削り取る構成としたが、これに限定されるものではなく、従来技術のように、ホットプレートを用いて被覆材を熱で溶かすものでもよい。
また、光ファイバを複数の裸ファイバが被覆されたテープ心線としたが、これに限られることなく、ガイド溝およびガイドピンを適宜設定することにより単心の光ファイバ心線であっても対応することができる。
さらに、ファイバホルダをカッタホルダに対して移動させる構成としたが、固定されたファイバホルダに対してカッタホルダを移動させるような構成であってもよい。
【００４８】
【発明の効果】
以上説明したように、本発明に係る光ファイバの被覆除去装置は、被覆除去体とホルダ保持体の一方または両方に、対向する相手側に突き当てられることにより、被覆除去体とホルダ保持体との間の最小離間距離が設定される位置決め部材が取り付けられる構成となっている。これにより、この光ファイバの被覆除去装置では、被覆除去体とホルダ保持体との間の最小離間距離を容易に調節することができ、作業性が大幅に向上するとともに、位置決め部材が落下して紛失することがなく、携帯性も向上するという優れた効果が得られる。
【００４９】
請求項２に係る光ファイバの被覆除去装置は、互いに長さの異なる位置決め部材が複数本回転自在に軸支される構成となっている。
これにより、この光ファイバの被覆除去装置では、複数の除去長に容易に、且つコスト増になることなく対応できるという優れた効果が得られる。
【図面の簡単な説明】
【図１】  本発明の実施の形態を示す図であって、位置決め部材が設けられた被覆除去装置の外観斜視図である。
【図２】  同被覆除去装置の断面図である。
【図３】  本発明の実施の形態を示す図であって、ホルダ保持体が被覆除去体から離間した位置に位置決めされた断面図である。
【図４】  本発明の実施の形態を示す図であって、被覆除去装置を構成するホルダ保持体の（ａ）は左側面図、（ｂ）は平面図、（ｃ）は右側面図、（ｄ）は正面図である。
【図５】  二本の位置決め部材が取り付けられた被覆除去装置の下面図である。
【図６】  本発明の実施の形態を示す図であって、切刃が被覆材に切り込まれた断面図である。
【図７】  従来技術による光ファイバの被覆除去装置の一例を示す正面図である。
【符号の説明】
１…光ファイバ（光ファイバテープ心線）、１ｂ…被覆材、２…ファイバホルダ、９…被覆除去装置、１３…被覆除去体（カッタヘッド）、１４…ホルダ保持体、２２，３１…被覆除去手段（切刃）、４７ａ，４７ｂ…位置決め部材。
【図１】
0003844595.tif 000002
【図２】
0003844595.tif 000003
【図３】
0003844595.tif 000004
【図４】
0003844595.tif 000005
【図５】
0003844595.tif 000006
【図６】
0003844595.tif 000007
【図７】
0003844595.tif 000008